(57)【特許請求の範囲】
【請求項１】
板状の小片からなりその上面の幅方向に多数の芯線用収納溝が配列された芯線固定下カバーと、当該下カバー上面の幅方向の多数の芯線用収納溝に合わせて同じく幅方向に多数の芯線用収納溝が配列されると共に、その長手方向に芯線固定下カバー用の収納部が形成された受台プレートと、板状の長尺体からなり前記芯線固定下カバーの芯線用収納溝上に載置されると共に、その幅方向に形成された芯線挿入口から前記芯線固定下カバーの芯線用収納溝に収納された芯線を押さえる芯線押えプレートと、当該芯線押えプレートの芯線挿入口とは反対側のプレート部分に穿った開口部と、当該開口部を通って前記芯線固定下カバーに装着される芯線固定上カバーとからなり、複数の結束しようとするケーブルの芯線を、前記芯線押えプレートの芯線挿入口から、芯線固定下カバーの芯線用収納溝及び受台プレートの芯線用収納溝に順次嵌め込み、その都度前記受台プレートを前記芯線押えプレートの開口部側に移動させ、芯線の配列終了後、さらに前記受台プレートを前記芯線押えプレートの開口部側に移動させて、前記芯線固定下カバーが開口部に達したところで、前記芯線固定上カバーを装着して、複数のケーブルの芯線をフラット形状に配列させることを特徴とするケーブル芯線の結束装置。
【請求項２】
前記芯線固定上カバーには、前記芯線固定下カバーに装着される装着具が設けてあることを特徴とする請求項１記載のケーブル芯線の結束装置。
【請求項３】
前記芯線押えプレートの芯線挿入口側の底面側に芯線押え突起が設けてあることを特徴とする請求項１又は２記載のケーブル芯線の結束装置。
【発明の詳細な説明】
【０００１】
【発明の属する技術分野】
本発明は、芯線が遊離した形のケーブルのバラ芯線をフラット（テープ）形状などに結束させるケーブル芯線の結束装置に関するものである。
【０００２】
【従来の技術】
電気機器（電子機器も同じ）に使用されるケーブルには、各芯線が並列に並べられて固められた形のテープ型ケーブルや、各芯線が遊離した形でバラバラである、所謂キャブタイヤ型ケーブルなどがある。
一方、これらのケーブルを電気機器の必要箇所に接続するにあたっては、殆どの場合、電気コネクタなどの接続具が用いられている。
【０００３】
【発明が解決しようとする課題】
ところが、テープ型ケーブルに対応した電気コネクタなどの接続具の場合、当然その接続部（接続口）も、ケーブルの各芯線が並列に配列されたフラット形状の端部に対応した構造となっている。
【０００４】
このため、テープ型ケーブルの場合、当該接続具に対して、一括接続ができるなどの利点が得られるものの、キャブタイヤ型ケーブルを接続する場合には、口出しにより、バラバラとなった各芯線を、うまく集合させて、フラット形状に揃える必要があり、かなり面倒であった。このフラット形状に揃える作業性が悪くて、現実的には、対応不能の場合も多かった。
【０００５】
本発明は、上記のような問題点を解消するためになされたもので、テープ型ケーブル対応の電気コネクタなどにあっても、キャブタイヤ型ケーブルが容易に使用することができるようにした、ケーブル芯線の結束装置を提供せんとするものである。
【０００６】
【課題を解決するための手段】
請求項１記載の本発明は、板状の小片からなりその上面の幅方向に多数の芯線用収納溝が配列された芯線固定下カバーと、当該下カバー上面の幅方向の多数の芯線用収納溝に合わせて同じく幅方向に多数の芯線用収納溝が配列されると共に、その長手方向に芯線固定下カバー用の収納部が形成された受台プレートと、板状の長尺体からなり前記芯線固定下カバーの芯線用収納溝上に載置されると共に、その幅方向に形成された芯線挿入口から前記芯線固定下カバーの芯線用収納溝に収納された芯線を押さえる芯線押えプレートと、当該芯線押えプレートの芯線挿入口とは反対側のプレート部分に穿った開口部と、当該開口部を通って前記芯線固定下カバーに装着される芯線固定上カバーとからなり、複数の結束しようとするケーブルの芯線を、前記芯線押えプレートの芯線挿入口から、芯線固定下カバーの芯線用収納溝及び受台プレートの芯線用収納溝に順次嵌め込み、その都度前記受台プレートを前記芯線押えプレートの開口部側に移動させ、芯線の配列終了後、さらに前記受台プレートを前記芯線押えプレートの開口部側に移動させて、前記芯線固定下カバーが開口部に達したところで、前記芯線固定上カバーを装着して、複数のケーブルの芯線をフラット形状に配列させることを特徴とするケーブル芯線の結束装置にある。
【０００７】
請求項２記載の本発明は、前記芯線固定上カバーには、前記芯線固定下カバーに装着される装着具が設けてあることを特徴とする請求項１記載のケーブル芯線の結束装置にある。
【０００８】
請求項３記載の本発明は、前記芯線押えプレートの芯線挿入口側の底面側に芯線押え突起が設けてあることを特徴とする請求項１又は２記載のケーブル芯線の結束装置にある。
【０００９】
【発明の実施の形態】
図１は、本発明に係るケーブル芯線の結束装置の全体の一例を示した斜視図であり、図２は、その一部を示した拡大図である。
図中、１０は板状の小片からなりその上面の幅方向に多数の芯線用収納溝１１が配列された芯線固定下カバー、２０は例えば２個の板状の長尺体２１，２２からなり前記芯線固定下カバー１０の芯線用収納溝１１上に載置されると共に、その幅方向に形成された芯線挿入口２３から前記芯線固定下カバー１０の芯線用収納溝１１に収納された芯線を押さえる芯線押えプレート、２４は芯線押えプレート２０の芯線挿入口２３とは反対側のプレート部分に穿った開口部、３０は開口部２４を通って前記芯線固定下カバー１０に装着される芯線固定上カバー、４０は前記芯線固定下カバー１０上面の幅方向の多数の芯線用収納溝１１に合わせて同じく幅方向の多数の芯線用収納溝４１が配列されると共に、その長手方向に芯線固定下カバー用の収納部４２が形成された受台プレート、３１は芯線固定上カバー３０に設けられた前記芯線固定下カバー１０に装着される引掛けフック部材などからなる装着具である。
【００１０】
前記芯線挿入口２３は、丁度１本の芯線が通るスリット形状であれば、特にその形状は問わないが、本例では、芯線押えプレート２０の本体側をなす長尺体２１と、これに対峙する他方の長尺体２１の両方に立設ガイド部２１ａ，２２ａを設けるとよい。また、受台プレート４０は、後述するように、芯線押えプレート２０の底面側でスライド（移動）するわけであるが、このスライドは、図示しない、ステップモータなどの駆動源で行うものとする。
【００１１】
このように構成される結束装置によって、各芯線１０１が遊離した形である、キャブタイヤ型ケーブル１００の各芯線１０１を、適当なピッチで、フラット（テープ）形状の端部に結束するには、次のようにして行えばよい。
【００１２】
先ず、芯線固定下カバー１０が収納された受台プレート４０を、図１中、右方向の適当な部位まで移動させておく。
この状態で、口出しされ、各芯線１０１が遊離した形のケーブル１００の１本の芯線１０１を、前記芯線押えプレート２０の芯線挿入口２３に入れ込み、丁度その下に開口している芯線固定下カバー１０の芯線用収納溝１１及び受台プレート４０の芯線用収納溝４１に嵌め込み、載置させる。
【００１３】
次に、受台プレート４０を、図１中、左方向に芯線１本分だけ移動させる。そうすると、前記芯線１０１は、芯線押えプレート２０の底面側に入り込み、押さえられると共に、芯線挿入口２３の下には、別の芯線固定下カバー１０の芯線用収納溝１１及び受台プレート４０の芯線用収納溝４１が移動してくるため、ここに、次の別のケーブル１００の芯線１０１を、２本目として、上記と同様にして、嵌め込み、載置させる。
【００１４】
この後、やはり上記と同様にして、受台プレート４０を、図１中、左方向に芯線１本分だけ移動させれば、前記２本目の芯線１０１は、芯線押えプレート２０の底面側に入り込み、押さえられる。
このような一連の操作を繰り返して、すべての芯線１０１を芯線固定下カバー１０の芯線用収納溝１１に嵌め込み、配列させる。
この全芯線１０１の配列が終わったら、受台プレート４０を、図１中、さらに左方向に移動させ、芯線固定下カバー１０が、丁度その開口部２４部分に達したら止める。
【００１５】
この後、この開口部２４を通じて、前記芯線固定上カバー３０を、芯線固定下カバー１０に引掛けフック部材などの装着具３１を介して装着させる。
装着具３１がこのような引掛けフック部材のような場合には、図２に示すように、受台プレート４０の収納部４２の対応する箇所に、装着具通過溝４３を設けるようにする。なお、装着具３１は、このフック部材に限定されず、例えば芯線固定上カバー３０の底面側に植設した圧入ピン（図示省略）などとし、この圧入ピンが、図２の想像線で示す嵌合穴４４に圧入されるようにしてもよい。
【００１６】
このようにして、芯線固定下カバー１０と芯線固定上カバー３０が一体化されたら、受台プレート４０を芯線押えプレート２０の底面側から離間させ、これらの両カバー１０，３０と共に、ケーブル１００のフラット形状に配列された各芯線１０１を取り出す。この状態を示すと、図３〜図４の如くである。
【００１７】
このようにケーブル１００の口出しされた各芯線１０１がフラット形状に配列されると、テープ型ケーブルに対応した電気コネクタなどの接続具にあっても、何ら問題なく、接続することができる。
この接続後、前記両カバー１０，３０は、取り外してもよく、また、結束部品として、そのまま装着しておいてもよい。取り外すときには、粘着テープなどを巻き付けて、芯線１０１の整列状態を保持するようにするとよい。
【００１８】
図５〜図６は、本発明に係るケーブル芯線の結束装置の他の変形例を示したを示したものである。
上述した芯線押えプレート２０の芯線挿入口２３への１本々の芯線１０１の挿入時、芯線１０１が浮き上がる恐れがある。
そこで、本例では、芯線挿入口２３のスリットを介して、本体側の長尺体２１に対して、離間している他方の長尺体２１の芯線挿入口２３側の底部側に芯線押え突起２５を設けると共に、例えば両長尺体２１，２２間にバネ性の連結部材２６を設けてある。この連結部材２６のバネ力は、図５に示すように、フリー状態（無荷重状態）で、長尺体２２が安定して、受台プレート４０上に載置される程度の大きさとしておくとよい。
【００１９】
したがって、図６に示すように、最初１本の芯線１０１を、芯線押え突起２５の上面側まで入れ、ここに達したら、長尺体２２を若干開いて、芯線１０１を、その下の芯線固定下カバー１０の芯線用収納溝１１及び受台プレート４０の芯線用収納溝４１に落し込む。
この後、長尺体２２を元の位置に戻せば、芯線１０１は、芯線押え突起２５の下側となって、その浮き上がりは、効果的に防止される。
【００２０】
図７〜図８は、本発明に係るケーブル芯線の結束装置のさらに別の変形例を示したもので、これも、上記の図５〜図６と同様、芯線１０１の浮き上がりを防止する機構である。
この場合、芯線挿入口２３のスリットを蛇行状に設けると共に、本体側の長尺体２１に対して、離間している他方の長尺体２１の芯線挿入口２３側の側面をなす内側部分には、芯線１０１を押し下げる昇降自在の圧入バンチ５０と、進退自在の芯線押え用シャッタ６０を設けてある。
【００２１】
上記圧入バンチ５０は、薄手のプレート体からなり、その上端には、昇降部材５１が接続される一方、その下端側は、上記蛇行した芯線挿入口２３の下端部分２３ａに上方から挿入されるようになっている。なお、この圧入バンチ５０は、モータなどの駆動源によって行う。
一方、上記芯線押え用シャッタ６０は、ブロック片からなり、芯線挿入口２３側に対峙する前面側を二股状の傾斜面６１，６１とすると共に、その先端下方部分を、芯線押え部６２，６２として、上記圧入バンチ５０のプレート体の底面側に設けた切欠部５２，５２に進出するようになっている。この進出は、芯線押え用シャッタ６０の背面側に設けた盲孔６３に、コイルスプリングなどの弾性体６４が装着された軸ピン６５を嵌合させることによって行われるようにしてある。勿論、この軸ピン６５は他の固定部分に植設されている。
【００２２】
この機構によると、先ず、芯線１０１を芯線挿入口２３に入れ、その蛇行した下端部分２３ａまで導き、ここで、駆動源のスイッチなどをオンにして、圧入バンチ５０を下降させる。この下降により、芯線１０１は、芯線押え用シャッタ６０の芯線挿入口２３内に進出している傾斜面６１，６１に当接し、図９に示すように、芯線押え用シャッタ６０を弾性体６４の弾性力に抗して後退させる。
つまり、この芯線押え用シャッタ６０によって、芯線１０１の下降が強制的に、かつ効率的に行われる。
【００２３】
この芯線押え用シャッタ６０の後退により、芯線１０１は、芯線固定下カバー１０の芯線用収納溝１１及び受台プレート４０の芯線用収納溝４１に落ち込むと共に、図１０に示すように、芯線押え用シャッタ６０の芯線押え部６２，６２が圧入バンチ５０の底面側の切欠部５２，５２に、上記弾性体６４の弾性力によって自動的に進出するため、芯線１０１の浮き上がりが効果的に防止される。
この場合、上記図５〜図６の場合に比較して、手作業による煩わしさが解消される。
【００２４】
なお、上記実施の形態では、キャブタイヤ型ケーブルのバラ芯線１０１をフラット形状に配列させる場合であったが、本発明は、これに限定されない。
例えば、電気機器の異なる部位に配線される別々の細い配線を複数集合させて、テープ型ケーブルに対応した電気コネクタなどの接続具に接続する場合にも対応することができる。さらには、テープ型ケーブルであっても、その芯線ピッチが使用しようとするテープ型ケーブルに対応した電気コネクタなどのピッチと合わない場合、それに合致するように、芯線ピッチを広げたり、狭めたりする調整のための配列にも対応することができる。
【００２５】
【発明の効果】
以上の説明から明らかなように、本発明のケーブル芯線の結束装置によると、先ず、所謂キャブタイヤ型ケーブルの口出しされた各バラ芯線を、極めて簡単にフラット形状の端部に揃えることができる。
つまり、良好な作業性が得られる。この結果、従来、作業性が悪く、対応不能であったケースについても、容易に対応することができるようになる利点も得られる。
【図面の簡単な説明】
【図１】本発明に係るケーブル芯線の結束装置の全体の一例を示した斜視図である。
【図２】図１の結束装置における芯線固定下カバーと受台プレートとを示した拡大平面図である。
【図３】芯線固定下カバーと芯線固定上カバーによってフラット形状の端部に揃えられた各芯線を示した正面図である。
【図４】図３の芯線固定下カバーと芯線固定上カバーによってフラット形状の端部に揃えられた各芯線を示した拡大側面図である。
【図５】本発明に係るケーブル芯線の結束装置の他の変形例を示した一部欠截部分斜視図である。
【図６】図５の結束装置の部分拡大側面図である。
【図７】本発明に係るケーブル芯線の結束装置の別の変形例を示した部分側面図である。
【図８】図７のケーブル芯線の結束装置の要部を示した部分斜視図である。
【図９】図７のケーブル芯線の結束装置の動作状態を示した部分側面図である。
【図１０】図７のケーブル芯線の結束装置の他の動作状態を示した部分側面図である。
【符号の説明】
１０                    芯線固定下カバー
１１                    芯線用収納溝
２０                    芯線押えプレート
２１，２２              板状の長尺体
２３                    芯線挿入口
２４                    開口部
２５                    芯線押え突起
２６                    バネ性の連結部材
３０                    芯線固定上カバー
３１                    装着具
４０                    受台プレート
４１                    芯線用収納溝
４２                    芯線固定下カバー用の収納部
５０                    圧入バンチ
６０                    芯線押え用シャッタ
１００                  ケーブル
１０１                  芯線
【図１】
0003542448.tif 000002
【図２】
0003542448.tif 000003
【図３】
0003542448.tif 000004
【図４】
0003542448.tif 000005
【図５】
0003542448.tif 000006
【図６】
0003542448.tif 000007
【図７】
0003542448.tif 000008
【図８】
0003542448.tif 000009
【図９】
0003542448.tif 000010
【図１０】
0003542448.tif 000011